(57)【特許請求の範囲】
【請求項１】
一音声シーケンスと、前記一音声シーケンスの複数の瞬間に関連付けられた複数の写真とを含むパノラマ式音像を再生する方法であって、
前記一音声シーケンスを再生するステップと、
前記複数の写真を再生するステップと、を有し、
前記複数の写真の各写真は、関連付けられた前記一音声シーケンスの一の瞬間に再生され、
前記複数の写真はパノラマ式画像に合成され、
前記複数の写真の再生時、前記パノラマ式画像の表示部分は連続的に動いて置き換わり、動く速さは、連続する写真の関連付けられた前記一音声シーケンスの瞬間の間の時間差と、前記パノラマ式画像における前記連続する写真の間の距離とに依存する、方法。
【請求項２】
一音声シーケンスと、前記一音声シーケンスの複数の瞬間に関連付けられた複数の写真とを含むパノラマ式音像を再生する再生装置であって、
前記一音声シーケンスを再生する手段と、
前記複数の写真を再生する手段と、を有し、
前記複数の写真の各写真は、関連付けられた前記一音声シーケンスの一の瞬間に再生され、
前記複数の写真はパノラマ式画像に合成され、
前記複数の写真の再生時、前記パノラマ式画像の表示部分は連続的に動いて置き換わり、動く速さは、連続する写真の関連付けられた前記一音声シーケンスの瞬間の間の時間差と、前記パノラマ式画像における前記連続する写真の間の距離とに依存する、再生装置。
【発明の詳細な説明】
【技術分野】
【０００１】
本発明は、別個に撮影された定着画像から写真の音列を生成する方法及び当該方法を実行する装置に関する。
【背景技術】
【０００２】
デジタルカメラにおいては、対物レンズの正面の画像がＣＣＤ又はＣＭＯＳセンサに投影される。その画像は、その場合、デジタルデータに変換され、メモリに記録される。メモリは、高信頼性を有して装置に組み込まれることが可能であり、又は取り外し可能であり、その場合、プラグインサポート形式で提供されることが可能である。デジタル技術により、ユーザは写真を撮影し、その装置の背面に一般に位置付けられている小さいスクリーンにおいて直後に見ることができ、そのスクリーンは、典型的には、ＬＣＤ又はＯＬＥＤである。スクリーンを用いて、ユーザは、丁度撮影されたばかりの写真の品質を確認し、メモリにその写真を保存するか又は消去するかを決定し、そしてデータがメモリに記録されている古い写真を見ることができる。一部の装置においては、ＣＣＤ又はＣＭＯＳセンサは、短い持続時間の映像シーケンスの取得を実行するのに十分に高速である。それらの装置はまた、映像シーケンスの記録中に音声環境を捕捉するためのマイクロフォンを有する。映像シーケンスの再生中、装置内部に位置付けられたスピーカは、画像と同時に記録された音声の再生を可能にする。
【０００３】
しかし、それらの映像シーケンスは、一般に、カメラにおいて進行中の画像処理のための容量が高精細映像シーケンスの取得を可能にしないために、低品質である。一般に、デジタルカメラで実現される映像シーケンスの画像は、数千の画素の内の数十の解像度を有する。
【０００４】
一解決方法は、オーディオビジュアルシーケンスを生成するように他の装置にその処理を転送するようになっている。データの転送は、テレビジョン、プリンタ、ビデオプロジェクタ等の何れかの他の電子装置又はコンピュータとのリンクを実現するコネクタにより実行される。写真に対応するデジタルデータは、コンピュータに転送されることができるファイルに組み込まれる。一旦、写真データがメモリに記録されると、又はコンピュータにダウンロードされると、ソフトウェアアプリケーションは、１つ又はそれ以上の写真が音声シーケンスと関連付けられる、それ故、動画オーディオビジュアルシーケンスを生成することを可能にする。このために、ユーザは、写真及び音声シーケンスを手動で関連付けることができる。例えば、ユーザはコメントを口述し、続いて、そのコメントを音声シーケンスと関連付けることができる。写真が表示されるとき、音声シーケンスがまた、再生される。このようにして、写真の表示は、ユーザが選択した音声コンテンツにより補足される。特別な編集プログラムが、そのようなオーディオビジュアルコンテンツの生成を可能にする。標準的なフォーマットの写真から、終端が適合する一連の写真からパノラマ式画像を生成するソフトウェアアプリケーションがまた、知られている。それらのプログラムは、それらの終端が完全に適合するように、各々に対して変形を共に適用して、それらの写真をアセンブルする。従って、３６０°までもたらされる角度及びカバリングが画像において得られる。それらの画像は、水平方向の又は球状のパノラマで得られる。
【０００５】
ＦＬＡＳＨＰＯＩＮＴにより出願された国際公開第９８／１５１５１１９号パンフレットにおいて、コンピュータに複数の写真をダウンロードするカメラについて開示されている。コンピュータは、ワイドスクリーンに対応する複数の画像を表示するように選択されるように意図された複数のサムネイルを有するメニューを表示する。ユーザは、音声を写真画像に関連付ける。音声シーケンスは、複数の写真の撮影をカバーする期間中に記録される。音声シーケンスの再生中に、インデックステーブルは、各々の写真が撮影された音声シーケンスの瞬間に表示されることを可能にする。
【０００６】
ＫＯＤＡＫにより出願された国際公開第２００７／０３８１９８号パンフレットにおいては、音声シーケンスを記録する手段を有するカメラについて開示されている。その装置は、動作モード、即ち、２つ以上の写真がアセンブルされることが可能である図４で示されている“網目状のパノラマ捕捉モード”を有する。複数の音声シーケンスが、各々の写真について、再生中に取り込まれる。それらの音声シーケンスは、ユーザがスクリーンにパノラマ式画像のセグメントをスライド式に投影するときに再生され、このセグメントは、再生されるシーケンスと関連付けられた画像を有する。変形は、関連画像がスクリーンに完全に表示され、その画像におけるインデックスの位置は、どの音声シーケンスが選択されたかを示すことにある。
【先行技術文献】
【特許文献】
【０００７】
【特許文献１】国際公開第９８／１５１５１１９号パンフレット
【特許文献２】国際公開第２００７／０３８１９８号パンフレット
【発明の概要】
【発明が解決しようとする課題】
【０００８】
本発明は、単独の音声シーケンス中に撮影された複数の写真から他の種類の動画を有効にし、再生の時間にユーザの介入なしにこれを可能にする。
【課題を解決するための手段】
【０００９】
本発明の目的は、パノラマ式音像を再生する方法であって：
−  環境音声のような音声シーケンスをカメラにより記録するステップ；並びに
−  複数の写真を撮影する及び該複数の写真を記録するステップであって、各々の写真は、該写真が取得される前記音声シーケンスの瞬間と関連付けられる、ステップ；
を有する方法であり、
−  複数の写真をアセンブルすることにより、及び前記記録されているパノラマ式音像を音声シーケンスと関連付けることにより、前記パノラマ式音像と呼ばれる単独の画像を生成するステップ；並びに
−  前記記録されている音声シーケンスを再生すること、及び生成された前記パノラマ式音像の一部を表示することを有する前記パノラマ式音像を再生するステップであって、前記パノラマ式音像の一部は写真に対応し、該写真は取得された前記音声シーケンスの瞬間に表示される、ステップ；
を有することを特徴とする方法を提供することである。
【００１０】
従って、撮影された複数の写真は、再生中にタイムスタンプとしての役割を果たす音声シーケンスと関連付けられる。撮影された写真は、このシーケンスの記録の瞬間か又は、最初の再生の瞬間かのどちらかにおいて、それらの写真が撮影された前記音声シーケンスの同じ瞬間に音声シーケンスの再生中に表示される。このようにして、複数の写真の音列は、高水準の臨場感を有して再生される。“パノラマ式”と呼ばれる単独の画像が、複数の写真間で写真の連続性をもたらすようにそれらの複数の写真をアセンブルすることにより生成される。その再生は、そのように生成されるパノラマ式画像の一部の表示にあり、そのパノラマ式画像の一部は、音声シーケンスの再生ステップ中にテーブルにより関連付けられる瞬間に表示される写真に対応している。このように、複数の写真に共通の複数の部分は削除され、視覚データは、複数の写真の音列においてより少ない空間を占めることができる。他の改善に従って、再生中、パノラマ式画像の表示される部分は連続的に動いて置き換わり、各々の写真を連続的に表示する部分の置き換え速度は、２つの連続する写真の撮影の間で過ぎた時間と、パノラマ式画像にアセンブルされるそれら２つの写真の離れた距離と、に依存する。このように、パノラマ式画像内を動く視認ウィンドウを示す動画を生成することが可能であり、その表示は音声シーケンスにより同期される。
【００１１】
他の改善に従って、記録するステップは、写真を撮影するための第１コマンドの導入から開始し、この最初の写真は、音声シーケンスの開始と関連付けられる。このように、画像は、音声シーケンスの再生の開始から表示される。他の改善に従って、記録するステップは、撮影される何らかの写真がない所定期間の終端に終了する。このように、ユーザはもはや、音声シーケンスを停止させるためのコマンドの導入の責任はなく、カメラは自動的に責任を引き受ける。
【００１２】
他の改善に従って、カメラは、音声シーケンスを予め記録し、写真が撮影される瞬間にその音声シーケンスを再生する。テーブルは、各々の写真を、その写真が撮影された音声シーケンスの再生の瞬間と関連付ける。このように、環境音声以外の音声を写真の音列と関連付けることが可能である。他の改善に従って、カメラは、それらの写真の撮影と無関係に音声シーケンスを記録し、撮影された瞬間に記録されたシーケンスを再生することができる。このように、写真が撮影された瞬間と比較してより好ましい瞬間の環境音声を記録することが可能である。他の改善に従って、カメラは、再生される音声シーケンスを提示する時間シンボルを表示し、現在の瞬間は、インデックスにより表されることができる。このように、ユーザは、記録されている音声シーケンスの再生においてユーザがどの瞬間に置かれているかを認識することができる。
【００１３】
本発明の目的はまた、写真を撮影するためのコマンドを導入するための手段と、環境音声のような音声シーケンスを記録する手段とを有するカメラであって、複数の写真をアセンブルする“パノラマ式音像”と呼ばれる単独の画像を生成し、前記パノラマ音像を記録されている音声シーケンスと関連付けるための手段と、複数の写真の各々の写真を、その写真が撮影された音声シーケンスの瞬間と関連付けるテーブルを作成する手段であって、そのテーブルは、各々の写真が音声シーケンスの再生中にそのテーブルにより関連付けられる瞬間に表示されることを可能にする、手段と、を有することを特徴とする、カメラである。
【００１４】
本発明の他の目的は、画像を表示する手段と、音声を再生する手段と、音声シーケンスから成る“パノラマ式音像”と呼ばれる画像及び複数の写真をアセンブルすることにより生成される画像を記録する手段とを有する再生装置であって、記録する手段は、パノラマ式音像の各々の写真を、その写真が撮影された、記録されている音声シーケンスの瞬間と関連付けるテーブルを有し、表示手段は記録されているパノラマ式画像の一部を表示し、音声を再生する手段はその音声シーケンスを再生し、それ故、写真に対応するパノラマ式音像の一部は、この写真が取得された音声シーケンスの瞬間に表示される、再生装置である。
【００１５】
本発明の他の特徴及び有利点について、以下、添付図を参照しながら、本発明の範囲内で、例示として与えられる実施形態について詳述する。
【図面の簡単な説明】
【００１６】
【図１ａ】本発明の実施形態の実行のためのカメラの正面を示す図である。
【図１ｂ】本発明の実施形態の実行のためのカメラの背面を示す図である。
【図２】複数の写真の音列の生成を最終的に可能にする動作のタイミング図である。
【図３】写真と、音声シーケンスの間に写真が撮影された瞬間との間の対応性テーブルの例を示す図である。
【図４】本発明の方法の実施のために実行される主なステップのフローチャートの例を示す図である。
【図５】本発明の実施形態に従ったカメラのスクリーンの様子を示す図である。
【図６】複数の写真からのパノラマ式画像の生成について示す図である。
【発明を実施するための形態】
【００１７】
好適な実施形態に従って、本発明は、図１ａ及び１ｂに示すように、デジタルカメラにより実施される。外見的には、デジタルカメラ１は、対物レンズ２と、ＬＣＤ又はＯＬＣＤ技術のスクリーン３と、取り外し可能なメモリモジュール４と、設定及び撮影のためのボタンとを有する。それらのボタンは、スクリーン３がＣＣＤセンサにより検出される画像を視覚化する“撮影”モードに、又はメモリモジュール４に記録されている画像がスクリーン３に表示される記録されたコンテンツの再生モードに設定されることを可能にする。一部のモデルに従って、コマンドは、スクリーンに表示されるアイコンを介してアクセス可能である。アイコンはハイライトされ、関連機能が、“ＯＫ”キーを押すことにより実行される。カメラ１は、縮約形式で“Ｓｏｕｎｄ  Ｓｅｒｉｅｓ  ｏｆ  Ｐｈｏｔｏｇｒａｐｈｓ（ＳＳＰ）”と呼ばれる写真の音列の記録を可能にするモードを含む多くの撮影モードを有する。音響環境の記録は、カメラの前面に位置付けられたマイクロフォン６を用いて実行される。また、そのカメラはまた、側面に位置付けられた小さいスピーカを有する。ユーザがカメラをオーディオビジュアルコンテンツの再生に切り換えるとき、音列が、スピーカ７を用いて再生される。
【００１８】
任意に、カメラは、可搬型コンピュータへのビジュアルコンテンツ及び音声コンテンツの送信を可能にするコネクタ８を有する。例えば、ＵＳＢ型リンクを介して通信が実行される。写真は、コンピュータに転送されるファイルに記録される。ユーザは、このようにして、大きいスクリーンで写真を見ることが可能であり、コンピュータに接続されたスピーカを介して音声コンテンツを聴くことが可能である。
【００１９】
本発明の実施のための装置の実施例の主な構成要素について詳述された後、それらの構成要素がどのように協働するかについて説明される。
【００２０】
図２は、写真の音列の生成を可能にする動作についてのタイミング図である。瞬間Ｔ０において、音列が開始され、後続の瞬間の全てがＴ０を開始点として用いる。瞬間Ｔ１において、ユーザは第１写真を撮影する。図２に示す実施例においては、ユーザは、瞬間Ｔ２、Ｔ３、Ｔ４及びＴ５において４つの他の写真を撮影する。瞬間Ｔ６において、音列は終了される。
【００２１】
図３は、複数の写真識別子と写真が撮影された瞬間との間の対応についてのテーブルの例を示している。識別子“写真１”乃至“写真５”は、画像データが記録されているメモリにおける特定区域を示すインデックスである。上記のように、瞬間“Ｔ１”乃至“Ｔ５”は、その音列の開始を基準としている。
【００２２】
図４のフローチャートは、本発明の実施形態に従った方法の実行のための主なステップの進行を示している。ステップ４．１において、ユーザは、複数のキー５又は選択のためのメニュー及びアイコンを用いることにより、ＳＳＰモードでカメラのパラメータを設定する。カメラ１は、その場合、音声シーケンスの記録を開始する（ステップ４．２）。マイクロフォン６により捕捉された音響信号は、メモリにおいてデジタル化されて記録される。変形においては、ユーザが一連の写真の第１写真を撮影したときに、その音声シーケンスの記録が開始される。記録中、ユーザは、シャッタボタンを押すことにより写真撮影をトリガする（ステップ４．３）。シャッタボタンを押す各々の瞬間に、カメラ１は、記録される音列を基準としてとる撮影の瞬間を記録する。
【００２３】
ステップ４．４において、カメラは音声シーケンスの記録を終了する。音声シーケンスの記録の終了は、特定のキーを押すことにより、又は単にＳＳＰモードを終了することにより実行される。改善に従って、音声シーケンスの終了は、写真が撮影されない期間の後に介入される。この期間は、メニューを用いてプログラムされることが可能である。その期間は、２つの写真間の最も長い時間間隔より長い必要がある。スピーカ７により発せられる音声信号は、ＳＳＰの取得の終了についてユーザに警告する。次いで、ステップ４．５において、カメラ１は、写真が撮影されたときに、各々の写真を音列の瞬間と関連付ける関連テーブルを作成する。写真を特定するタイムスタンプが、それ故、音声シーケンスにおいて位置付けられる。ステップ４．６において、カメラ１は、写真の音声シーケンスを生成するように関連テーブルにおける音声シーケンスの複数の写真のデータをアセンブルする。ＳＳＰを構成するデータは、容易に転送されることが可能であるファイルの形式にあるデジタルフォーマットで記録される。
【００２４】
写真の音声シーケンスを有するファイルは、表示ユニット及び少なくとも１つのスピーカを備えている装置において再生されることが可能である。有利であることに、カメラ１は、メモリに記録されているコンテンツの再生モードを有する。ユーザがＳＳＰの再生を要求する場合、カメラは、上記テーブルにより関連付けられる瞬間に各々の写真をスクリーン３に表示しながら、スピーカ７において音声シーケンスを再生する。ハードディスクを備えたデコーダ又はコンピュータ等の何れかの他の装置が、ＳＳＰの再生を実現することが可能である。
【００２５】
写真の音列がカメラ１において再生されることを仮定する場合、ステップ４．７において、カメラは、スピーカ７において音列を再生し、クロックを開始する。音列の関連テーブルは連続的に解析され、クロック値が関連テーブルにおいて記録された瞬間のクロック値と等しくなり次第、関連写真のデータが、スクリーン３における画像表示のために用いられる（ステップ４．７）。それらの写真は、有利であることに、それらが撮影された正確な順序で再生される。写真は、次の写真によって消去されるまで、スクリーンに表示されたまま維持される。ユーザは、ＳＳＰの再生が、音声がスピーカ７によりもはや発せられなくなったときに終了することを認識している。改善された実施形態に従って、ユーザは、キー“→”又は“←”を押すことによりＳＳＰにおいて前方に又は後方にナビゲートし、キー“一時停止”を押すことにより再生を一時的に停止することが可能である。再生が停止されるとき、ユーザは、“一時停止”を押すことにより表示されている写真を削除することが可能であり、消去コマンドは、そのテーブルにおける関連部分を削除することが可能である。
【００２６】
図５に示す改善された実施形態に従って、スクリーンは、音列の各々の写真が撮影された瞬間を示すことにより、その音列の時間シンボルを表示する。典型的には、長さが音声シーケンスの全持続時間を表す水平ラインが辿られる。マーク（図５の円で囲まれたｘ印）が、写真が撮影された瞬間Ｔ０乃至Ｔｉにそのライン上に位置付けられている。別個のマークは現在の瞬間を表し、そのマークは、音声シーケンスの再生の全体を通して移動される。このように、ユーザは、どの瞬間に、一連の種々の写真が現れるかを容易に理解することができる。改善は、現在再生されているＳＳＰに関する、
−  音列の合計持続時間（分又は秒）
−  現在の瞬間の値（分又は秒）
−  その音列に含まれる写真の全数
−  音声シーケンスの取得の日時
等の一般情報のスクリーンウインドウにおける表示にある。
【００２７】
図５で示すスクリーンにおいては、ウィンドウは、音列の合計持続時間、現在の瞬間及び音声シーケンスの記録の開始日時のそれぞれである、“２’３０”−Ｔｃ＝１’１０”  ３０：０５：２００７−１８：４５：１０”を示している。
【００２８】
ここで、１つの写真とその写真の後続の写真との間で共通である部分を保持しながら、ユーザが複数の写真を注意深く撮影していることを想定する。これを行うためには、ユーザ自身を位置付け、複数の写真間の重複を可能にする最大角度に同じスポットの周囲で切り換えながら、写真を撮影することで十分である。それを行う他の方法は、直線に沿って動いている自動車内にいることである。その場合、写真が撮影される順序で互いに写真をアセンブルすることにより、及びその画像を音声シーケンスと関連付けることにより、パノラマ式音像を生成することが可能である。
【００２９】
アセンブルされる最初の２つの写真の撮影においては、第２写真が第１写真の左に位置付けられるか又は右に位置付けられるかを決定することは重要である。この決定は、共通要素を決定するように、左側及び右側を解析することにより実行される。この決定は、写真がパノラマ式画像の左又は右に付加される場合に、アセンブリの方向が設定されることを可能にする。そのアセンブリは、次の方法で実行される。写真１が基準画像として撮影される。第１ステップは、写真２が写真１に完全に重なり合うように、写真２の共通ゾーンに適用される変形を確立するステップを有する。これを行うように、本発明の方法は、写真１及び写真２における特異点の抽出にある当該ポイントに基づき、それに後続して、それら２つの写真間のそれらのポイントが一致するように位置付けることにより、用いられることが可能である。一致するように位置付けられたポイントのこの集合から、パノラマ式画像を生成する装置は、共通ゾーンの変形モデルを演算する。このモデルは、その場合、写真１に写真２を重ね合わすように用いられる。この処理は、パノラマ式画像にアセンブルされるように、互いの写真について繰り返される。この処理の終了時には、その画像の集合における複数の写真のアセンブリである１つのパノラマ式画像が得られる。
【００３０】
パノラマ式画像は、このデータにおいて、複数の写真の区画化を保存する。そのデータは、各々の写真からもたらされるパノラマ式画像の複数部分を規定する。複数の写真の区画化は、パノラマ式画像における各々の写真のゾーンと、その写真に関連する音声が音声シーケンスの再生中に聞こえる瞬間との間の一致性により位置付けられることが可能である。２つの写真に共通のゾーンについては、このゾーンの一の半分が一の写真に属し、他の半分が他の写真に属すことが任意に規定される。それらの部分の各々は、それ故、写真が撮影された瞬間を特定するタイムスタンプと関連付けられる。写真の音列の再生時には、パノラマ式画像の部分が表示される。この表示される部分は、パノラマ式画像の一端から他端に連続して移動する。音声シーケンスの再生は、パノラマ式画像で表示される部分の移動と同期している。パノラマ式画像の表示される部分の移動は、音声シーケンスが瞬間Ｔｉに到達したときに、再生装置により表示される画像がこの瞬間Ｔｉに相当する画像であるように、実行される。
【００３１】
表示される部分の移動速度は、２つの写真間の時間差に依存する。その移動速度は２つの写真間で一定であり、一の写真から他の写真まで変化する。図６は、ある角度差Δαで撮影された２つの写真のアセンブリを示している。それらの共通部分が検出され、それらの共通部分はカメラ１の回転方向を決定する。結果として得られるパノラマ式画像は、写真１に対して特定の部分、共通部分及び写真２に対して特定の部分のアセンブリである。
【００３２】
焦点距離ｆｉが既知の場合、画像１及び２の間の重なり合いに関連する角度値が、２つの撮影の間の時間と共に、次式のように演算されることが可能である。
【００３３】
【数１】
0005490689.tif 000002
仮想角度変位に従った映像周波数は、その場合、次式で与えられる。
ｆｉ＝（Δα／ｄα）／Δｔ
この段階には、ユーザに対して提供されることが可能である２つの可能な表示オプション、即ち
−  一定のモザイクのサンプリング（ｄαは一定）＝＞可変の映像周波数ｆｉ
−  一定の映像周波数（ｆｉは一定）＝＞可変のモザイクのサンプリングｄα
により与えられる。
【００３４】
第１の場合、ユーザは、パノラマ式画像の２つの連続写真間のステップは、例えば、連続写真間のアーティファクト現象を回避するように、かなり小さいことを決定することが可能である。映像周波数は、その場合、上記式を用いて一定値ｄαを満足するように演算される。
【００３５】
第２の場合、ユーザは、映像周波数が一定である（例えば、１５画像／秒）ことを決定することが可能である。ｄαは、その場合、次式
ｄα＝Δα／ｆｉΔｔ
を用いて演算される。
【００３６】
それ故、一定のｄαから仮想画像を又は上記の実施形態に従って演算された仮想画像を生成することはそのまま維持されている。ｄαは、その場合、次式を用いて演算される。
【００３７】
一旦、それらの画像が生成されると、それらの画像は一定の又は演算された映像周波数において表示され、実際の速度で再生可能な音声シーケンスにより同期される。
【００３８】
このようにして、回転又は連続的並進を実行しながらユーザがパノラマ式に撮影したかのように、本当の動画シーケンスを表示する。再生装置は、サウンドトラックを介してスクローリングを制御して、パノラマ式画像の複数の部分をスクロールする。その速度は、その場合、多様性と実際に見ることに対するアピールに加えて、一の写真から他の写真まで変化する。カメラは、映像シーケンスを撮影することができるが、１０乃至１００回以下に規定される。良好に規定された写真のアセンブリの生成において、このように再生されたパノラマ式シーケンスは同じ規定を保持し、それ故、同じ品質を保持することができる。
【００３９】
変形の実施形態は、マイクロフォン６により捕捉された環境音声ではなく、所定の音声シーケンスを用いることにある。このために、カメラは、音声シーケンスを有するメモリを備えた装置であって、典型的には、ＭＰ３プレーヤ又はコンピュータに接続される。音声シーケンスのダウンロードは、カメラ１の側面に位置付けられたコネクタによりＵＳＢを介して実行される。ユーザがカメラをＳＳＰモードに合わせるとき、スクリーン３は、スクリーンに識別子を表示しながら、一連の音声シーケンスを提供する。ユーザは、再生が写真撮影のための同期としての役割を果たすシーケンスを選択する。最初にシャッタボタンを押すことにより、選択された音声シーケンスの初期再生と呼ばれる再生が、スピーカ７を用いて得られる。有利であることに、スクリーン３は、ＣＣＤセンサの正面に現在の画像を表示し、時間シンボルは、現在の瞬間を表すマークにより選択された音声シーケンスを表す。このようにして、ユーザは、選択された音声シーケンスの終端の前にどれ位の時間が残っているかを迅速に認識することができる。
【００４０】
ユーザは、適切な瞬間に音声シーケンスの初期再生を聴き、シャッタボタンを押すことにより写真を撮影する。カメラは、その場合、写真データを、そしてその写真が撮影された初期再生の瞬間を記録する。改善は、環境音声と共にマイクロフォン６を用いて音声シーケンスを予め記録することにあり、この選択は、複数の写真が同期しながら撮影されることを可能にして、後になって再生されることが可能である。例えば、ユーザは、好きなビーチで一連の波の音を記録し、そのとき、ユーザは、そのビーチがひとでいっぱいであり、存在するひとの発話が波の音に伴っているときに、写真を撮影することができる。
【００４１】
本発明は、特定の例示としての実施形態を参照しながら詳述しているが、本発明は、上記の実施形態に限定されるものではなく、同時提出の特許請求の範囲のみにより限定されるものである。画像を表示し、音声を再生することが可能である何れかの再生装置が写真の音列の回復のために適用されることが可能である。
【図１ａ】
0005490689.tif 000003
【図１ｂ】
0005490689.tif 000004
【図２】
0005490689.tif 000005
【図３】
0005490689.tif 000006
【図４】
0005490689.tif 000007
【図５】
0005490689.tif 000008
【図６】
0005490689.tif 000009